(57)【要約】【課題】無線タグを使用することによりケース内の複数の配達物を、ケースを開けずに確認し、しかも、無線タグの故障及び配達物の紛失を区別する。【解決手段】自己のＩＤ番号、相手無線タグのＩＤ番号及び書留コードを記録した２つの無線タグを貼りつけた書留郵便物から無線タグリーダにより先ず１つの無線タグに記録されている自己のＩＤ番号、相手のＩＤ番号及び書留コードを読み取る。続いて、読み取った相手のＩＤ番号によってもう１つの無線タグに記録されている自己のＩＤ番号、相手のＩＤ番号及び書留コードを読み取る。そして、読み取った２つの無線タグの書留コードを比較する。そして、書留コードが一致していれば正常を判断する。また、書留コードが不一致か、相手のＩＤ番号によるもう１つの無線タグの読み取りが正しくできなかった時には無線タグの故障を判断する。また、書留郵便物１２の各無線タグからの読み取りが全くでなかった時には郵便物の紛失を判断する。【選択図】    図４
2005001816.tif 000002
【特許請求の範囲】
【請求項１】
自己の識別コードとともに組み合せ相手の識別コードを記録した無線タグを複数貼り付けた配達物から、各無線タグの識別コードを読み取る無線タグリーダと、この無線タグリーダの読み取り情報により、配達物の有無、無線タグの故障、正常を判断する判断手段とを設けたことを特徴とする配達物認識装置。
【請求項２】
自己の識別コードとともに組み合せ相手の識別コードを記録した無線タグを複数貼り付け、無線タグリーダによって各無線タグの識別コードが読み取られることを特徴とする配達物。
【発明の詳細な説明】
【０００１】
【発明の属する技術分野】
本発明は、配達物認識装置及びこの装置が認識する配達物に関する。
【０００２】
【従来の技術】
例えば、郵便物、宅配物、商品等の配送を伴う物品にそれぞれ無線データキャリアを添付し、配送過程の各拠点で物品に添付された無線データキャリアのデータを読み出し記録することによって、物品の配送に関する情報を追跡可能としたものが知られている（例えば、特許文献１参照）。
【０００３】
ところで書留郵便物は配送中には郵袋ケース内に入れられて管理される。そして、配送途中において郵袋ケースに入れられた書留郵便物はその個数や種類がチェックされる。この場合に郵袋ケースをその都度開けてチェックを行ったのでは手間が大変となる。このため、上述した特許文献のような無線データキャリア、たとえば小さな無線タグを書留郵便物に貼り、この無線タグにに管理用情報を予め記録しておき、郵袋ケースの外側から無線タグリーダによって管理用情報を無線で読み取ることで郵袋ケースを開けずに書留郵便物の個数や種類をチェックすることが可能となる。
【０００４】
【特許文献１】
特開平１１−１７５６２１号公報
【０００５】
【発明が解決しようとする課題】
郵袋ケースに入れられている複数の書留郵便物に貼られている無線タグからそれぞれ管理用情報が正常に読み取られた場合は問題ないが、１つでも管理用情報の読み取りができない状態が発生すると、単に無線タグが故障しただけなのか、それとも対象となる書留郵便物が紛失したのか確認ができず、結局は郵袋ケースを開けて確認をしなければならなかった。
そこで、本発明は、無線タグを使用することでケース内に入れられた複数の配達物を、ケースを開けずに確認することができ、しかも、無線タグからの読み取りができなかった場合に無線タグの故障によるものか配達物の紛失によるものかを区別できる配達物認識装置及び配達物を提供する。
【０００６】
【課題を解決するための手段】
本発明は、自己の識別コードとともに組み合せ相手の識別コードを記録した無線タグを複数貼り付けた配達物から、各無線タグの識別コードを読み取る無線タグリーダと、この無線タグリーダの読み取り情報により、配達物の有無、無線タグの故障、正常を判断する判断手段とを設けた配達物認識装置にある。
【０００７】
【発明の実施の形態】
以下、本発明の一実施の形態を、図面を参照して説明する。なお、この実施の形態は配達物として書留郵便物を使用したものについて述べる。
【０００８】
図１は書留郵便物認識装置の構成を示すブロック図で、１は制御部本体を構成するコントローラで、ＣＰＵ、ＲＯＭ等によって構成されている。前記コントローラ１に無線タグリーダ２、ＩＣカードリーダ３、ＲＡＭからなるメモリ４及び操作・表示部５を接続している。
【０００９】
前記無線タグリーダ２はアンテナ６を介して郵送ケース１１に内に収納されている複数の書留郵便物１２に貼られている無線タグに対して電波を送信し無線タグからデータを読み取るように成っている。また、前記ＩＣカードリーダ３は前記郵送ケース１１に付されたＩＣカード１３から郵送データを読み取るようになっている。郵送データは、たとえば、郵送ケース１１内に収納された書留郵便物１２の総数及び書留コードからなる。
【００１０】
前記書留郵便物１２には、図２に示すように、２つの無線タグ１４，１５が貼られている。この場合、無線タグ１４，１５を書留郵便物１２の表と裏に１枚ずつ貼ったり、表や裏に上下に離して貼ったりなど貼り方に工夫をすることで無線タグが破損するのを極力防止できる。
【００１１】
前記無線タグ１４，１５には、予め識別コードとして自己のＩＤ番号及び相手のＩＤ番号が記録されるとともに書留管理情報として書留コードが記録されている。すなわち、図３の（ａ）に示すように無線タグ１４には、自己のＩＤ番号１４ａ、相手である無線タグ１５のＩＤ番号１４ｂ及び書留コード１４ｃが予め記録され、図３の（ｂ）に示すように無線タグ１５には、自己のＩＤ番号１５ａ、相手である無線タグ１４のＩＤ番号１５ｂ及び書留コード１５ｃが予め記録されている。この場合、書留コード１４ｃと書留コード１５ｃは同一のコードになっている。
【００１２】
先ず、オペレータが郵袋ケース１１からＩＣカード１３を抜いてＩＣカードリーダ３にセットすることで、ＩＣカードリーダ３はＩＣカード１３に記録されている郵袋データ、すなわち、収納された書留郵便物１２の総数及び書留コードを読み取る。コントローラ１はＩＣカードリーダ３から郵袋データを受取ると、前記メモリ４に格納する。このときメモリ４に設けたカウンタの値Ｎを「０」にする。そして、メモリ４への書き込みが終了すると、ＩＣカード１３を郵袋ケース１１に戻す。
【００１３】
続いて、オペレータは、無線タグリーダ２のアンテナ６を郵袋ケース１１内の書留郵便物１２の無線タグ１４，１５を読み取るようにセットしてから操作・表示部６にある読み取り開始キーを操作する。これにより、コントローラ１は、図４に示す流れ図に基づいて制御を行うようになる。
【００１４】
すなわち、Ｓ１にて、無線タグリーダ２を駆動させ、郵袋ケース１１内に収納されている複数の書留郵便物１２に貼られている無線タグ１３，１４の検出を行う。たとえば、コントローラ１は無線タグリーダ２に対してＩＤ指定無しの無線ＩＤ問い合わせコマンドを送出する。無線タグリーダ２は無線ＩＤ問い合わせコマンドを変調しアンテナ６から電波として送信する。
【００１５】
無線タグは無線ＩＤ問い合わせコマンドの電波を受信すると、その電波から電力の供給を受け、内部に記録されている自己のＩＤ番号、組みになっている相手のＩＤ番号及び書留コードを付加したＡＣＫ応答を返す。無線タグリーダ２はアンテナ６でこのＡＣＫ応答を受信すると、それを復調してコントローラ１に自己のＩＤ番号、相手のＩＤ番号及び書留コードの情報を送る。受信した書留コードはメモリ４に格納されているＩＣカード１３から読み取った書留コードと照合され、一致を検出するとタグ検出が判断される。
【００１６】
続いて、Ｓ２にて、コントローラ１は無線タグリーダ２に対して相手のＩＤ番号でＩＤ指定を行って無線ＩＤ問い合わせコマンドを送出する。該当する無線タグが正常であれば、無線ＩＤ問い合わせコマンドの電波を受信し、その電波から電力の供給を受け、内部に記録されている自己のＩＤ番号、組みになっている相手のＩＤ番号及び書留コードを付加したＡＣＫ応答を返す。無線タグリーダ２はアンテナ６でこのＡＣＫ応答を受信すると、それを復調してコントローラ１に自己のＩＤ番号、相手のＩＤ番号及び書留コードの情報を送る。
【００１７】
この場合は、コントローラ１は、Ｓ３にて、相手の無線タグを検出したと判断し、続いて、Ｓ４にて、取得した書留コードを比較し、Ｓ５にて一致を判断する。取得した書留コードは同じ書留郵便物１２の組みになっている無線タグ１４と１５の書留コードであり、本来からすれば一致しているはずである。
【００１８】
一致を判断すると、正常に読み取ったと判断し、Ｓ６にて、カウンタの値Ｎを１つインクリメントする。そして、Ｓ１に戻り、次の書留郵便物１２の無線タグに対する読み取りを行う。
【００１９】
前記Ｓ３にて相手の無線タグを検出できなかったり、前記Ｓ５にて取得した２つの書留コードが一致していなかったりした場合は、Ｓ７にて無線タグの故障を判断し、Ｓ６にて、カウンタの値Ｎを１つインクリメントする。そして、Ｓ１に戻り、次の書留郵便物１２の無線タグに対する読み取りを行う。
【００２０】
Ｓ１におけるタグ検出が行われない状態が一定時間継続すると、Ｓ８にて認識終了を判断し、Ｓ９にて、カウンタの値ＮがＩＣカード１３から読み取った総数Ａに一致するかを判断する。そして、一致を判断すると、操作・表示部５に認識終了を表示する。このときの表示は、Ｓ７におけるタグの故障が判断されていなければ、正常に終了したことを知らせ、また、Ｓ７におけるタグの故障が判断されていれば、該当する書留郵便物の書留コードと無線タグが故障していることを知らせる。また、Ｓ９にて、ＮとＡの不一致を判断すると、Ｓ１１にて、書留郵便物が紛失したと判断し、操作・表示部５に認識終了を表示すると共に紛失した書留郵便物の書留コードを表示する。
【００２１】
このような構成においては、複数の書留郵便物１２が収納された郵袋ケース１１には、収納されている書留郵便物１２の総数と書留コードを記録したＩＣカード１３が付されている。従って、書留郵便物認識装置を操作するオペレータは、ＩＣカードリーダ３を使用してＩＣカード１３から書留郵便物１２の総数と各書留コードを読み取る操作を行う。読み取った総数と各書留コードはメモリ４に格納される。また、メモリ４に設けられたカウンタの値Ｎが「０」にクリアされる。
【００２２】
この状態で無線タグリーダ２を使用して郵袋ケース１１内の書留郵便物１２の無線タグ１４，１５を読み取る。すなわち、ある書留郵便物１２に貼ってある２つの無線タグの一方、例えば、無線タグ１４から自己のＩＤ番号１４ａ、相手のＩＤ番号１４ｂ及び書留コード１４ｃを読み取る。読み取った書留コードはメモリ４に格納されている書留コードと照合され、一致していれば無線タグを検出したことが判断される。続いて、読み取った相手のＩＤ番号でＩＤ指定を行って無線タグリーダ２から無線ＩＤ問い合わせコマンドを送出する。
【００２３】
今度は、ＩＤが指定されているので、先ほど読み取られた無線タグと組みになっている他方の無線タグ１５が無線ＩＤ問い合わせコマンドを受信することになる。従って、無線タグリーダ２は、今度は他方の無線タグ１５から自己のＩＤ番号１５ａ、相手のＩＤ番号１５ｂ及び書留コード１５ｃを読み取る。
【００２４】
そして、無線タグ１４から読み取った書留コード１４ｃと無線タグ１５から読み取った書留コード１５ｃを比較し、一致を判断すると、この書留郵便物１２の無線タグ１４，１５は正常であると判断し、カウンタの値Ｎを１つインクリメントしてから、次の無線タグの読み取りを開始する。そして、同様にして次の書留郵便物１２の無線タグ１４，１５を読み取る制御を行う。
【００２５】
このようにして、郵袋ケース１１内に収納されている複数の書留郵便物１２の無線タグ１４，１５を順次読み取っている時に、たとえば、読み取った相手のＩＤ番号でＩＤ指定を行って無線ＩＤ問い合わせコマンドを送信しても該当するＩＤ番号の読み取りができなかった時には、タグの故障を判断する。また、読み取った相手のＩＤ番号でＩＤ指定を行って無線ＩＤ問い合わせコマンドを送信し、このとき該当するＩＤ番号の読み取りができても２つの書留コードが一致しなかった時にはやはりタグの故障を判断する。
【００２６】
そして、郵袋ケース１１内に収納されている複数の書留郵便物１２における無線タグ１４，１５からの読み取りが終了すると、カウンタがカウントした値Ｎとメモリ４に格納されている総数Ａとを比較し、Ｎ＝Ａであれば、表示部に認識の終了と共に正常に終了したか、それともタグの故障があったかを表示して知らせる。１つでもタグの故障が判断されたときには故障のあった書留郵便物１２の書留コードを表示して知らせる。また、ＮがＡに達していなければ、読み取りを終了した書留郵便物の数がＩＣカード１３に記録されている総数Ａよりも少なく、紛失した書留郵便物があることを判断する。そして、ＩＣカード１３に記録されている各書留郵便物１２の書留コードとの比較からどの書留郵便物が紛失したかを特定することができ、その特定した書留郵便物を紛失郵便物として表示部に表示して知らせる。
【００２７】
このように、郵袋ケース１１を開けること無く、無線タグからのデータの読み取りが正常に行われたか、無線タグに故障があったか、書留郵便物が紛失したかを確実に判断することができる。
【００２８】
なお、書留郵便物１２に貼られてある２つの無線タグの両方が同時に故障した場合には誤って書留郵便物が紛失したとして判断されることになるが、２つが同時に故障する確率は極めて少なく、認識に支障を来す虞はない。勿論、無線タグを３つ以上貼れば確率は更に低下するが、郵便物に貼ることを考えると２つが妥当である。
【００２９】
なお、この実施の形態においては、配達物として書留郵便物を使用した場合について述べたがこれに限定するものではなく、宅配物や配送商品を使用するものにも適用できるものである。
【００３０】
なお、本発明は、上記実施の形態そのままに限定されるものではなく、実施段階ではその要旨を逸脱しない範囲で構成要素を変形して具体化できるものである。
【００３１】
【発明の効果】
以上詳述したように本発明によれば、無線タグを使用することでケース内に入れられた複数の配達物を、ケースを開けずに確認することができ、しかも、無線タグからの読み取りができなかった場合に無線タグの故障によるものか配達物の紛失によるものかを区別できる配達物認識装置及び配達物を提供できる。
【図面の簡単な説明】
【図１】本発明の一実施の形態に係る書留郵便物認識装置の構成を示すブロック図。
【図２】同実施の形態で使用する書留郵便物の構成を示す図。
【図３】同実施の形態で使用する書留郵便物に貼る無線タグのデータ例を示す図。
【図４】同実施の形態における書留郵便物認識装置のコントローラの制御を示す流れ図。
【符号の説明】
１…コントローラ、２…無線タグリーダ、１１…郵袋ケース、１２…書留郵便物、１４，１５…無線タグ。
【図１】
2005001816.tif 000003
【図２】
2005001816.tif 000004
【図３】
2005001816.tif 000005
【図４】
2005001816.tif 000006